(57)【要約】【課題】  本発明は外出時に携帯する携帯品で紫外線の強弱を容易に知ることができるようにして、紫外線対策を容易に行なうことができる携帯品および携帯品用紫外線表示具を得るにある。【解決手段】  日傘、ハンドバック、キーホルダー、携帯電話機、時計等の携帯品本体と、この携帯品本体に取付けられた紫外線の強弱を表示することができる紫外線表示装置とで携帯品を構成している。【選択図】  図１
2005249474.tif 000002
【特許請求の範囲】
【請求項１】
日傘、ハンドバック、キーホルダー、携帯電話機、時計等の携帯品本体と、この携帯品本体に取付けられた紫外線の強弱を表示することができる紫外線表示装置とからなることを特徴とする携帯品。
【請求項２】
日傘、ハンドバック、キーホルダー、携帯電話機、時計等の携帯品本体と、この携帯品本体の直射日光が当る部位に接着固定された紫外線の強弱を表示することができるシール状の紫外線表示具とからなることを特徴とする携帯品。
【請求項３】
日傘、ハンドバック、キーホルダー、携帯電話機、時計等の携帯品に接着固定することができる、背面の接着剤層が剥離紙で覆われたシート状の表示具本体と、この表示具本体の表面に設けられた紫外線の強弱を表示する紫外線表示部とからなることを特徴とする携帯品用紫外線表示具。
【請求項４】
携帯品や衣服等に取付けられるように背面に留め具が設けられたバッチ状の表示具本体と、この表示具本体の表面に設けられた紫外線の強弱を表示する紫外線表示部とからなることを特徴とする携帯品用紫外線表示具。
【発明の詳細な説明】
【技術分野】
【０００１】
本発明は日傘、ハンドバック、キーホルダー、携帯電話機、時計等の、主に女性が携帯する携帯品および携帯品用紫外線表示具に関する。
【背景技術】
【０００２】
紫外線から身体を守る化粧品や衣服や紫外線側定器が市販されているが、身体に悪影響を及ぼす紫外線が照射されているのかどうかを、誰でもが簡単に判断することができないという欠点があった。
【特許文献１】特になし。
【発明の開示】
【発明が解決しようとする課題】
【０００３】
本発明は以上のような従来の欠点に鑑み、外出時に携帯する携帯品で紫外線の強弱を容易に知ることができるようにして、紫外線対策を容易に行なうことができる携帯品および携帯品用紫外線表示具を提供することを目的としている。                    
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は日傘、ハンドバック、キーホルダー、携帯電話機、時計等の携帯品本体と、この携帯品本体に取付けられた紫外線の強弱を表示することができる紫外線表示装置とで携帯品を構成している。
【０００６】
また、本発明は日傘、ハンドバック、キーホルダー、携帯電話機、時計等の携帯品に接着固定することができる、背面の接着剤層が剥離紙で覆われたシート状の表示具本体と、この表示具本体の表面に設けられた紫外線の強弱を表示する紫外線表示部とで携帯品用紫外線表示具を構成している。
【発明の効果】
【０００７】
以上の説明から明らかなように、本発明にあっては次に列挙する効果が得られる。
【０００８】
（１）携帯品本体に紫外線の強弱を表示することができる紫外線表示装置を取付けたので、外出時に携帯品本体を携帯するだけで、紫外線表示装置で現在の紫外線の強弱を容易に知るができる。
したがって、紫外線が強い場合には紫外線対策を施すことができる。
【０００９】
（２）前記（１）によって、携帯品本体に紫外線表示装置が取付けられているので、確実に紫外線表示装置を持ち運ぶことができ、紫外線対策を図ることができる。
【００１０】
（３）前記（１）によって、紫外線表示装置は紫外線の強弱を知るだけでよいので、安価な紫外線表示装置を使用することができる。
したがって、必要以上にコスト高になるのを防止することができる。
【００１１】
（４）請求項２、３も前記（１）〜（３）と同様な効果が得られるとともに、より安価に製造することができる。
【発明を実施するための最良の形態】
【００１２】
以下、図面に示す本発明を実施するための最良の形態より、本発明を詳細に説明する。
【００１３】
図１ないし図９に示す本発明を実施するための最良の第１の形態において、１は本発明の携帯品としての日傘で、この携帯品としての日傘１は一般に市販されている日傘本体２と、この日傘本体２の握り部３の外側面に接着固定された紫外線の強弱を表示することができる紫外線表示装置としてのシール状の紫外線表示具４とで構成されている。
【００１４】
前記紫外線表示具４は背面に粘着剤あるいは接着剤層５が剥離紙６で覆われたシート状の表示具本体７と、この表示具本体７の表面に紫外線により発色するカプセルインキでプリントされた紫外線の強弱によって、図５に示すように変化する紫外線の強弱を表示する紫外線表示部８と、この紫外線表示部８の外周部に日傘をさした方が良い状態を表示する紫外線強弱表示部９とで構成されている。
【００１５】
上記構成の携帯品としての日傘１は図１に示すように、外出時にハンドバック１０に握り部３が外方へ突出するように収納して携帯することにより、紫外線表示具４の紫外線表示部８および紫外線強弱表示部９で紫外線の強弱を知ることができ、紫外線が強いと表示されると、日傘１をさしたり、紫外線対策を図ることができる。
[発明を実施するための異なる形態]
【００１６】
次に、図１０ないし図２４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図１０および図１１に示す本発明を実施するための第２の形態において、前記本発明を実施するための最良の第１の形態と主に異なる点は、ハンドバックやカバン、携帯電話機やキーに取付けることができる取付リング１１に鎖１２を介してベース板１３が取付けられた、キーホルダータイプの携帯品本体１４のベース板１３に紫外線表示具４を接着固定した点で、このように構成した携帯品１５にしても、前記本発明を実施するための最良の第１の形態と同様な作用効果が得られる。
【００１８】
図１２ないし図１７に示す本発明を実施するための第３の形態において、前記本発明を実施するための最良の第１の形態と主に異なる点は、アルミやステンレス等の、手で折り曲げることができる薄い金属材製のシート本体７Ａの表面に紫外線表示部８をプリントした携帯品用紫外線表示具４Ａにした点で、このように構成された携帯品用紫外線表示表示具４Ａは、図１６に示すように携帯品としての腕時計６のベルト１７に両端部を折り曲げて取付けたり、図１７に示すようにハンドバック１８のベルト１９に両端部を折り曲げて取付けて、使用することができる。
【００１９】
図１８ないし図２１に示す本発明を実施するための第４の形態において、前記本発明を実施するための最良の第１の形態と主に異なる点は、紫外線により発色するカプセルインキを混合した合成樹脂材で成型した握り部３Ａに紫外線の強弱を表示する紫外線強弱表示部９をプリントしたシール２０を取付けた点で、このように構成された携帯品としての日傘１Ａにしても、前記本発明を実施するための最良の第１の形態と同様な作用効果が得られる。
【００２０】
図２２ないし図２４に示す本発明を実施するための第５の形態において、前記本発明を実施するための最良の第１の形態と主に異なる点は、金属材の表面に紫外線表示部８や紫外線強弱表示部９をプリントあるいはシール状の紫外線表示部８や紫外線強弱表示部９がプリントされたものを貼着固定し、背面に安全ピン、ピン、ナット等のいずれかを用いた留め具２１を設けたバッチ状の紫外線表示具４Ｂにした点で、このように構成した紫外線表示具４Ｂは携帯品に取付けるのは勿論、衣服等にも簡単に取付けて使用することができる。
【００２１】
なお、前記本発明を実施するための各形態以外に、携帯品用紫外線表示具４は、衣服やカバン、携帯電話機等の携帯品に接着固定して使用することができる。
【００２２】
また、前記本発明を実施するための各形態ではシール状やバッチ状の携帯品用紫外線表示具４、４Ａ、４Ｂを用いるものについて説明したが、本発明はこれに限らず、日傘の握り部に電池で作動する紫外線表示装置を組み込んだものであってもよい。
【産業上の利用可能性】
【００２３】
本発明は日傘、ハンドバック、キーホルダー、携帯電話機、時計等の携帯品を製造する産業および、携帯用紫外線表示シールを製造する産業で利用される。
【図面の簡単な説明】
【００２４】
【図１】本発明を実施するための最良の第１の形態の使用状態の説明図。
【図２】本発明を実施するための最良の第１の形態の正面図。
【図３】本発明の実施するための最良の第１の形態の側面図。
【図４】図２の４−４線に沿う断面図。
【図５】紫外線表示具の紫外線の強弱による変化を示す説明図。
【図６】紫外線表示具の平面図。
【図７】紫外線表示具の側面図。
【図８】表示具本体をめくる状態の説明図。
【図９】図６の９−９線に沿う断面図図。
【図１０】本発明を実施するための第２の形態の正面図。
【図１１】本発明を実施するための第２の形態の側面図。
【図１２】本発明を実施するための第３の形態の正面図。
【図１３】本発明を実施するための第３の形態の側面図。
【図１４】図１２の１４−１４線に沿う断面図。
【図１５】紫外線の強弱による変化を示す説明図。
【図１６】腕時計に取付ける状態の説明図。
【図１７】ハンドバックに取付ける状態の説明図。
【図１８】本発明を実施するための第４の形態の側面図。
【図１９】握り部の拡大図。
【図２０】図１９の２０−２０線に沿う断面図。
【図２１】紫外線の強弱による変化を示す説明図。
【図２２】本発明を実施するための第５の形態の正面図。
【図２３】本発明を実施するための第５の形態の側面図。
【図２４】本発明を実施するための第５の形態の背面図。
【符号の説明】
【００２５】
１、１Ａ：携帯品としての日傘、  ２：日傘本体、
３、３Ａ：握り部、
４、４Ａ、４Ｂ：紫外線表示装置としての紫外線表示具、
５：粘着剤あるいは接着剤層、    ６：剥離紙、
７、７Ａ：表示具本体、          ８：紫外線表示部、
９：紫外線強弱表示部、          １０：ハンドバック、
１１：取付リング、              １２：鎖、
１３：ベース板、                １４：携帯品本体、
１５：携帯品、                  １６：腕時計、
１７：ベルト、                  １８：ハンドバック、
１９：ベルト、                  ２０：シール、
２１：留め具。
【図１】
2005249474.tif 000003
【図２】
2005249474.tif 000004
【図３】
2005249474.tif 000005
【図４】
2005249474.tif 000006
【図５】
2005249474.tif 000007
【図６】
2005249474.tif 000008
【図７】
2005249474.tif 000009
【図８】
2005249474.tif 000010
【図９】
2005249474.tif 000011
【図１０】
2005249474.tif 000012
【図１１】
2005249474.tif 000013
【図１２】
2005249474.tif 000014
【図１３】
2005249474.tif 000015
【図１４】
2005249474.tif 000016
【図１５】
2005249474.tif 000017
【図１６】
2005249474.tif 000018
【図１７】
2005249474.tif 000019
【図１８】
2005249474.tif 000020
【図１９】
2005249474.tif 000021
【図２０】
2005249474.tif 000022
【図２１】
2005249474.tif 000023
【図２２】
2005249474.tif 000024
【図２３】
2005249474.tif 000025
【図２４】
2005249474.tif 000026